(57)【要約】【課題】コンパクトなサイズのカバーシート折込装置を提供する。【解決手段】冊子ＢＫ４１の背を支持する冊子支持部１と、ローラの回転により冊子ＢＫ４１のカバーＪＫ４１のみを小口から背に向かって搬送してカバーＪＫ４１を撓ませることにより冊子ＢＫ４１の表紙ＢＣ４１を開く表紙開き部２と、冊子ＢＫ４１の表紙ＢＣ４１を開いた状態で冊子ＢＫ４１にカバーシートＣＶ６１を折り込む折込部３と、冊子ＢＫ４１にカバーシートＣＶ６１を折り込む際に、表紙開き部２により冊子ＢＫ４１の表紙ＢＣ４１を開き、折込部３により冊子ＢＫ４１にカバーシートＣＶ６１を折り込むように制御する制御部７とを備える。【選択図】図１
2016117214.tif 000002
【特許請求の範囲】
【請求項１】
カバー付きの冊子にカバーシートを折り込むカバーシート折込装置において、
前記冊子の背を支持する冊子支持部と、
ローラの回転により前記冊子の前記カバーのみを小口から背に向かって搬送して前記カバーを撓ませることにより前記冊子の表紙を開く表紙開き部と、
前記冊子の表紙を開いた状態で前記冊子にカバーシートを折り込む折込部と、
前記冊子に前記カバーシートを折り込む際に、前記表紙開き部により前記冊子の表紙を開き、前記折込部により前記冊子にカバーシートを折り込むように制御する制御部と、
を備えたことを特徴とするカバーシート折込装置。
【請求項２】
前記カバーは、
前記冊子の表紙の小口端部を基準に折り返されて見返しに折り込まれていることを特徴とする請求項１に記載のカバーシート折込装置。
【請求項３】
前記表紙開き部は、
前記カバーの前記ローラにより搬送された部分を収納するスペースを有することを特徴とする請求項１又は２に記載のカバーシート折込装置。
【請求項４】
前記ローラは、中心から外周面までの距離がカバーと接触可能な第１の距離となる第１外周部と、中心から外周面まので距離が第１の距離よりも短い第２外周部を備えることを特徴とする請求項１から３のいずれか一項に記載のカバーシート折込装置。
【請求項５】
前記ローラは、円の中心よりも偏心した位置を軸に回転することを特徴とする請求項１から３のいずれか一項に記載のカバーシート折込装置。
【請求項６】
前記制御部は、前記ローラの回転量に応じて前記冊子の表紙の開き量を制御することを特徴とする請求項１から５のいずれか一項に記載のカバーシート折込装置。
【請求項７】
カバー付きの冊子を製本する製本装置と
前記製本装置に製本されたカバー付きの冊子にカバーシートを折り込む請求項１から６のいずれか一項に記載のカバーシート折込装置と、
を備えることを特徴とする製本システム。
【発明の詳細な説明】
【技術分野】
【０００１】
本発明は、カバーシート折込装置及び製本システムに関する。
【背景技術】
【０００２】
従来、書店の店頭においてカバー付きの冊子に帯、ブックカバー等のカバーシートを折り込む作業は、店員により行われている。
【０００３】
また、装置等により冊子にカバーシートを自動的に折り込む場合には、事前に冊子の表紙を開く必要性がある。例えば、表紙開き手段としてエア吸引装置を用いて、冊子の表紙を両側から吸引することにより、冊子の表紙を開き、カバーシートの折り込みを行うことができる。
【０００４】
また、カバー開閉片を折り返し片の外方への旋回によって開き、続いて無表紙本の最外側の紙葉をそれぞれ持ち上げられたカバー内側面に当接させ、続いてカバー開閉片を折り返し片の戻しによって図示していない案内装置を使用してまた閉じることにより、冊子にカバーを折り込む製造方法等が開示されている（特許文献１参照）。
【先行技術文献】
【特許文献】
【０００５】
【特許文献１】特開平０９−０３０１４４号公報
【発明の概要】
【発明が解決しようとする課題】
【０００６】
しかしながら、特許文献１に記載された製造方法では、表紙開き手段の構成が明確に開示されていない。一方、表紙開き手段としてエア吸引装置を用いた場合、表紙開き手段の構成が大がかりなものとなるので、カバーシート折込装置の小型化が困難になってしまい、卓上サイズ等のコンパクトなサイズにすることが難しいといった問題点があった。
【０００７】
本発明の課題は、よりコンパクトなサイズのカバーシート折込装置を提供することにある。
【課題を解決するための手段】
【０００８】
上記課題を達成するため、請求項１に記載の発明のカバーシート折込装置は、
カバー付きの冊子にカバーシートを折り込むカバーシート折込装置において、
前記冊子の背を支持する冊子支持部と、
ローラの回転により前記冊子の前記カバーのみを小口から背に向かって搬送して前記カバーを撓ませることにより前記冊子の表紙を開く表紙開き部と、
前記冊子の表紙を開いた状態で前記冊子にカバーシートを折り込む折込部と、
前記冊子に前記カバーシートを折り込む際に、前記表紙開き部により前記冊子の表紙を開き、前記折込部により前記冊子にカバーシートを折り込むように制御する制御部と、
を備えたことを特徴としている。
【０００９】
請求項２に記載の発明は、請求項１に記載のカバーシート折込装置において、
前記カバーは、
前記冊子の表紙の小口端部を基準に折り返されて見返しに折り込まれていることを特徴としている。
【００１０】
請求項３に記載の発明は、請求項１又は２に記載のカバーシート折込装置において、
前記表紙開き部は、
前記カバーの前記ローラにより搬送された部分を収納するスペースを有することを特徴としている。
【００１１】
請求項４に記載の発明は、請求項１から３のいずれか一項に記載のカバーシート折込装置において、
前記ローラは、中心から外周面までの距離がカバーと接触可能な第１の距離となる第１外周部と、中心から外周面まので距離が第１の距離よりも短い第２外周部を備えることを特徴としている。
【００１２】
請求項５に記載の発明は、請求項１から３のいずれか一項に記載のカバーシート折込装置において、
前記ローラは、円の中心よりも偏心した位置を軸に回転することを特徴としている。
【００１３】
請求項６に記載の発明は、請求項１から５のいずれか一項に記載のカバーシート折込装置において、
前記制御部は、前記ローラの回転量に応じて前記冊子の表紙の開き量を制御することを特徴としている。
【００１４】
請求項７に記載の発明は、製本システムであって、
カバー付きの冊子を製本する製本装置と
前記製本装置に製本されたカバー付きの冊子にカバーシートを折り込む請求項１から６のいずれか一項に記載のカバーシート折込装置と、
を備えることを特徴としている。
【発明の効果】
【００１５】
本発明によれば、コンパクトなサイズのカバーシート折込装置を提供することができる。
【図面の簡単な説明】
【００１６】
【図１】本発明を適用した実施形態のカバーシート折込装置の概略構成を示す斜視図である。
【図２】図１のカバーシート折込装置の機能構成を示すブロック図である。
【図３】制御部の制御動作を説明するフローチャートである。
【図４】冊子を挿入した状態の一例を示す説明図である。
【図５】表紙開き部により本の表紙を開いた状態の一例を示す説明図である。
【図６】冊子にカバーシートを折り込む動作の一例を示す説明図である。
【図７】表紙開き部のローラの他の形状の一例を示す説明図である。
【図８】表紙開き部のローラの回転軸の偏心の一例を示す説明図である。
【図９】製本時におけるカバー等を一括して折り込むシステムの一例を示すブロック図である。
【発明を実施するための形態】
【００１７】
（実施形態）
［１．構成の説明］
以下に、本発明について、図面を用いて具体的な態様を説明する。但し、発明の範囲は、図示例に限定されない。なお、冊子の各部名称に関しては、特に別途定義していない場合は、当業者が通常使用している名称（例えば、表紙、天、地、背、小口、カバー、見開き等）を使用して説明する。
図１は、本発明を適用した実施形態のカバーシート折込装置１００の概略構成を示す斜視図である。また、図２は、カバーシート折込装置１００の機能構成を示すブロック図である。
【００１８】
図１及び図２に示すように、本実施形態のカバーシート折込装置１００は、カバー付きの冊子ＢＫ１１をカバーシート折込装置１００の挿入口ＩＮ１１に挿入することにより、カバー付きの冊子ＢＫ１１にカバーシートＣＶ１１を自動的に折り込む。
【００１９】
具体的には、本実施形態のカバーシート折込装置１００は、冊子支持部１と、表紙開き部２と、折込部３と、挿入部４と、位置整合部５と、調整部６と、制御部７等を備えて構成されている。
【００２０】
冊子支持部１は、カバーシート搬送部（不図示）により搬送されてきたカバーシートＣＶ１１を所定の位置に固定する固定部と、カバーシート折込装置１００に挿入されたカバーが付いた冊子ＢＫ１１の背の部分を挟持する挟持部を有し、カバーシート折込装置１００に挿入されたカバーが付いた冊子ＢＫ１１をカバーシートＣＶ１１と共に固定して支持する。
【００２１】
表紙開き部２は、冊子支持部１で挟持されたカバー付きの冊子ＢＫ１１を表紙側から背の部分を挟持圧着する一対の円筒形のローラを有し、一対のローラによりカバー付きの冊子ＢＫ１１を表紙側から背の部分を挟持して圧着し、一対のローラを一方向に回転させて冊子ＢＫ１１に折り込まれたカバーを背側方向に搬送させことにより、冊子ＢＫ１１に折り込まれたカバーが、表紙の表面で滑って、カバーのみが冊子ＢＫ１１の背側に搬送されて撓みが生じることにより、冊子ＢＫ１１の表紙を開く。
【００２２】
折込部３は、冊子支持部１で挟持されたカバー付きの冊子ＢＫ１１の表紙の両面の側にそれぞれ設けられ、一方のローラが固定され他方のローラが当該固定されたローラを中心に回動可能な一対のローラを有し、冊子支持部１により冊子ＢＫ１１が支持され、表紙開き部２により冊子ＢＫ１１の表紙を開かれた状態で、回動可能な一方のローラを回転させながら冊子ＢＫ１１の表紙ＢＣ１１に沿ってカバーシートＣＶ１１を巻き込むように回動させることにより、表紙が開いた冊子ＢＫ１１にカバーシートＣＶ１１を折り込む。
【００２３】
挿入部４は、カバーシート折込装置１００の挿入口に挿入された冊子ＢＫ１１を表紙側から挟持して冊子支持部１まで移動させる複数のローラを有し、挿入された冊子ＢＫ１１を、当該ローラで挟持して、冊子ＢＫ１１の天又は地の一端が表紙開き部２に位置し、冊子ＢＫ１１の他の部分が冊子支持部１に位置するように、冊子ＢＫ１１を自動的に位置を調整しながら移動させて、冊子支持部１に挟持させる。
【００２４】
位置整合部５は、冊子支持部１で支持されている冊子ＢＫ１１の天又は地を押して移動させるアクチュエータ等の駆動部を有し、カバーシートＣＶ１１を固定した状態で、駆動部で冊子ＢＫ１１の天又は地を押して移動させることにより、カバーシートＣＶ１１上で滑らせて移動させ、冊子ＢＫ１１とカバーシートＣＶ１１の双方の天地を揃える。
【００２５】
また、冊子ＢＫ１１とカバーシートＣＶ１１の双方の天地を揃った状態で、駆動部でさらに、冊子ＢＫ１１の天又は地と共にカバーシートＣＶ１１を押して移動させ冊子ＢＫ４１をカバーシート折込装置１００から排出させることにより、位置整合部５は、冊子排出部として機能させることもできる。
【００２６】
調整部６は、冊子ＢＫ１１を表紙側から挟持して冊子支持部１まで移動させる複数のローラを有し、カバーシートにその天地方向の端部が折り畳まれた折り返し部が設けられている場合、カバーシート折込装置１００の挿入口に挿入された冊子ＢＫ１１を、当該ローラで挟持して、表紙開き部２に位置する冊子ＢＫ１１の天又は地の長さが、カバーシートＣＶ１１の折り代（折り返し部）の長さよりも小さくなるように、冊子ＢＫ１１を自動的に位置を調整しながら移動させて、冊子支持部１に挟持させる。
【００２７】
制御部７は、例えば、ＣＰＵ（Central Processing Unit）７１、ＲＯＭ（Read Only Memory）７２、ＲＡＭ（Random Access Memory）７３等を備えて構成されている。
ＣＰＵ７１は、ＲＯＭ７２から処理内容に応じたプログラムを読み出してＲＡＭ７３に展開し、展開されたプログラムと協働してカバーシート折込装置１００の各ブロック（冊子支持部１、表紙開き部２、折込部３、挿入部４と、位置整合部５と、調整部６等）の動作を集中制御する。このとき、例えば、不揮発性の半導体メモリ（フラッシュメモリ）やハードディスクドライブで構成された記憶部（不図示）に格納されている各種データが参照される。
【００２８】
ここで、制御部７は、例えば、ＬＡＮカード等で構成された通信部（図示略）を介して、ＬＡＮ（Local Area Network）、ＷＡＮ（Wide Area Network）等の通信ネットワークに接続された外部の装置（例えばパーソナルコンピュータ）との間で各種データの送受信を行っても良い。
【００２９】
［２．動作の説明］
ここで、カバーシート折込装置１００の動作を図３に示すフローチャートを用いて説明する。また、併せて、図４〜図６に示す説明図を用いて冊子の表示が開かれる状況を説明する。
【００３０】
図３のフローチャートに示すように、制御部７は、カバー付き冊子ＢＫ４１がカバーシート折込装置１００に挿入されたか否かを判断する（ステップＳ３１）。そして、制御部７は、カバー付き冊子ＢＫ４１がカバーシート折込装置１００に挿入されていないと判断した場合には（ステップＳ３１：Ｎｏ）、ステップＳ３１に戻る。
【００３１】
制御部７は、カバー付き冊子ＢＫ４１がカバーシート折込装置１００に挿入されたと判断した場合には（ステップＳ３１：Ｙｅｓ）、表紙開き部２を構成する一対のローラを一方向に回転させて冊子ＢＫ４１の表紙ＢＣ４１を開く（ステップＳ３２）。
【００３２】
図４は、カバー付き冊子ＢＫ４１がカバーシート折込装置１００に挿入された状態を示しており、冊子ＢＫ４１の背は冊子支持部１によって固定して支持され、冊子ＢＫ４１の表紙ＢＣ４１は、表紙開き部２を構成する一対のローラにより挟持され圧着される。
【００３３】
このような冊子ＢＫ４１の挿入状態において、制御部７が、表紙開き部２を構成する一対のローラを図５中の矢印方向に回転させると、ローラの回転に伴って、冊子ＢＫ４１に折り込まれたカバーＪＫ４１が、表紙ＢＣ４１の表面で滑って、カバーＪＫ４１のみが冊子ＢＫ４１の背側に搬送されて撓み部ＢＥ５１が生じる。
【００３４】
なお、カバーＪＫ４１が、表紙ＢＣ４１の表面で確実に滑るために、表紙開き部２を構成するローラとカバーＪＫ４１の摩擦係数μ１が、表紙ＢＣ４１とカバーＪＫ４１の摩擦係数μ２よりも大きいことが好ましい（μ１＞μ２）。
【００３５】
また、図５に示す状態では、表紙開き部２を構成するローラが圧着する部分ＰＴ５１からカバーＪＫ４１の小口部分における折り目ＰＴ５２までの長さＬ１は、撓み部ＢＥ５１が生じ、言い換えれば、カバーＪＫ４１が背側に引っ張られて引き寄せられているため、表紙開き部２を構成するローラが圧着する部分ＰＴ５１から表紙ＢＣ４１の小口部分ＰＴ５３までの長さＬ２よりも短くなる（Ｌ１＜Ｌ２）。
【００３６】
このため、図５に示すように、表紙ＢＣ４１は、当該長さ違いの均衡を図るため冊子ＢＫ４１の外側に向かって湾曲しなければならず、結果として、冊子ＢＫ４１の表紙ＢＣ４１が開くことになる。
【００３７】
なお、表紙ＢＣ４１が、冊子ＢＫ４１の外側に向かって湾曲するために、表紙開き部２を構成するローラとカバーＪＫ４１の摩擦係数μ１とローラの圧着力Ｐとの積が、表紙ＢＣ４１の湾曲時の抵抗力ｋ２／Ｌ２（但し、硬度ｋ２は表紙ＢＣ４１の硬度）よりも大きいことが好ましい（μ１・Ｐ＞ｋ２／Ｌ２）。
【００３８】
さらに、表紙ＢＣ４１の撓み部ＢＥ５１が形成される位置が、背側ではなく、小口側になるようにするため、表紙ＢＣ４１の小口からローラの圧着する部分ＰＴ５１までの長さＬ２は、表紙ＢＣ４１の背から小口までの長さＬ３の半分よりも大きいことが好ましい（Ｌ２＞Ｌ３／２）。
【００３９】
このように、一対のローラによって表紙開き部２を構成することにより、表紙開き部２としてエア吸引装置を用いた場合と比較して、エアの流入流出経路の確保や、エアの流れを発生させるファンや当該ファンを駆動するためのモータ等の設置場所を確保する必要がないので、表紙開き部２の構成を小さくすることができる。
【００４０】
ここで、図３に戻って、制御部７は、折込部３を制御して冊子ＢＫ４１の表紙ＢＣ４１を開いた状態で冊子ＢＫ４１にカバーシートＣＶ６１（破線で表示）を折り込む（ステップＳ３３）。例えば、図６に示すように、折込部３を構成する一対のローラのうち回動可能な一方のローラを回転させながら冊子ＢＫ４１のカバーＪＫ４１に沿ってカバーシートＣＶ６１を巻き込むように破線矢印のように回動させることにより、ＢＣ４１表紙が開いた冊子ＢＫ４１にカバーシートＣＶ６１を折り込む。
【００４１】
この時、カバーシートＣＶ６１を巻き込んで折り込みやすいようにガイド板（不図示）により表紙ＢＣ４１の小口近傍を天から地にかけて支持してもよい。
【００４２】
すなわち、表紙ＢＣ４１の材質によっては、折込部３を構成するローラの回動動作によって、表紙ＢＣ４１の小口近傍が湾曲したり変形してカバーシートＣＶ６１をうまく折り込めないことが想定されるので、このようなガイド板を使用することにより表紙ＢＣ４１の小口近傍が湾曲等を防止できるので、冊子ＢＫ４１に確実にカバーシートＣＶ６１を折り込むことができる。
【００４３】
以上のように、本実施形態のカバーシート折込装置１００によれば、冊子ＢＫ４１の背を支持する冊子支持部１と、ローラにより冊子ＢＫ４１のカバーＪＫ４１のみを小口から背に向かって搬送してカバーＪＫ４１を撓ませることにより冊子ＢＫ４１の表紙ＢＣ４１を開く表紙開き部２と、冊子ＢＫ４１の表紙ＢＣ４１を開いた状態で冊子ＢＫ４１にカバーシートＣＶ６１を折り込む折込部３と、冊子ＢＫ４１にカバーシートＣＶ６１を折り込む際に、表紙開き部２により冊子ＢＫ４１の表紙ＢＣ４１を開き、折込部３により冊子ＢＫ４１にカバーシートＣＶ６１を折り込むように制御する制御部７とを備えることにより、表紙開き部２の構成を小さくすることができるので、コンパクトなサイズのカバーシート折込装置１００を提供することができる。
【００４４】
（変形例１）
［３−１．ローラの形状］
実施形態の説明に際しては、表紙開き部２を構成する一対のローラは、単純な円筒形として例示されている。このような実施形態の構成では、表紙開き部２を構成する一対のローラの回転よる表紙ＢＣ４１の開き状態を解除するためには、一対のローラを逆方向に回転させて挿入時の状態に戻す必要性がある。
【００４５】
このため、ローラの円周部に凹凸を設けて１回転で圧着搬送と圧着解除を両立させるものであってもよい。例えば、図７に示すように、円周の一部分が外周方向に延出（延出部ＥＸ７１を有する）した一対のローラＲＯ７１を用いて表紙開き部２を構成する。
【００４６】
図７に示すような形状のローラＲＯ７１が矢印方向に回転することにより、延出部分ＥＸ７１が冊子ＢＫ４１に接する場合は、圧着してカバーＪＫ４１を搬送する状態になり、また、延出部分ＥＸ７１以外の部分が冊子ＢＫ４１に接する場合は、圧着解除の状態になるので、一対のローラＲＯ７１を逆方向に回転させることなく、表紙の開き状態を解除することができる。
【００４７】
（変形例２）
［３−２．ローラの回転軸］
実施形態の説明に際しては、表紙開き部２を構成する一対のローラは、単純な円筒形として例示されている。このような実施形態の構成では、厚さ（背部分の幅）が異なる冊子ＢＫ４１に対して連続してカバーシートＣＶ６１を折り込む場合には、その都度、一対のローラの対向する間隔を調整しなければならない。
【００４８】
このため、ローラの回転軸を偏心させることにより、厚さ（背部分の幅）が異なる冊子ＢＫ４１に対して対応可能にさせるものであってもよい。例えば、図８に示すように、円の中心よりも偏心した位置の軸ＡＲ８１を中心に回転する一対のローラＲＯ８１を用いて表紙開き部２を構成する。
【００４９】
図８に示すような形状のローラＲＯ８１が矢印方向に回転することにより、ローラＲＯ８１が冊子ＢＫ４１に接する位置が順次変化（順次近づく）するので、厚さ（背部分の幅）が異なる冊子ＢＫ４１であっても、一対のローラの対向する間隔を調整することなく対応することができる。
【００５０】
（第２実施形態）
［４．製本システム］
実施形態の説明に際しては、カバーシート折込装置１００単体で使用しているが、カバーシート折込装置１００を既存の製本装置の後処理装置として用いることにより製本システムを構成してもよい。
【００５１】
例えば、図９に示すように、製本装置２００は、既存のカバー付きの冊子を製本する装置であり、このような製本装置２００の後段に、帯の折り込み用のカバーシート折込装置１００と、ブックカバーの折り込み用のカバーシート折込装置１００を２台連結して製本システムを構成してもよい。
【００５２】
図９に示す製本システムによれば、カバー、帯及びブックカバーがそれぞれ折り込まれた冊子を一括して製造することができる。
【００５３】
なお、実施形態の説明に際しては、一対のローラの回転により冊子ＢＫ４１の表紙ＢＣ４１を開く表紙開き部２が開示されているが、カバーＪＫ４１の折り込み量、例えば、図５におけるカバーＪＫ４１の小口部分における折り目ＰＴ５２から、折り込まれたカバーＪＫ４１の先端までの長さによっては、表紙ＢＣ４１を開きすぎるとカバーＪＫ４１自体が外れてしまう場合が想定される。
【００５４】
このため、当該ローラの回転量に応じて冊子ＢＫ４１の表紙ＢＣ４１の開き量を制御することが好ましい。
【００５５】
すなわち、カバーＪＫ４１の折り込み量が小さい場合には、回転量を小さくして冊子ＢＫ４１の表紙ＢＣ４１の開き量を制御することにより、カバーＪＫ４１自体が外れてしまうことを防止することができる。
【００５６】
また、実施形態の説明に際しては、カバーシート搬送部（不図示）により搬送されたカバーシートＣＶ１１が、冊子支持部１の固定部により所定の位置に固定されているが、勿論、作業者が、冊子支持部１の固定部の所定の位置にカバーシートＣＶ１１を固定してもよい。
【００５７】
また、実施形態の説明に際しては、カバーシート折込装置１００に挿入された冊子ＢＫ４１と、カバーシートの位置関係は、冊子ＢＫ４１の天又は地の一端が表紙開き部２に位置し、冊子ＢＫ４１の他の部分が冊子支持部１に位置するように挿入することが好ましい。これは、冊子ＢＫ４１で所定の場所に固定されたカバーシートとカバーＪＫ４１が重なる（カバーシートが外側）ことにより、表紙開き部２によりカバーＪＫ４１の搬送の障害になることを防止するためである。
【００５８】
このため、必要に応じて、挿入部４により、冊子ＢＫ４１の天又は地の一端が表紙開き部２に位置し、冊子ＢＫ４１の他の部分が冊子支持部１に位置するように、冊子ＢＫ４１を自動的に位置を調整しながら移動させて、冊子支持部１に挟持させてもよい。
勿論、挿入部４を使用することなく、作業者が、冊子ＢＫ４１の天又は地の一端が表紙開き部２に位置し、冊子ＢＫ４１の他の部分が冊子支持部１に位置するように、冊子支持部１に挟持させてもよい。
【００５９】
また、カバーシート折込装置１００に挿入された冊子ＢＫ４１の天又は地の一端が表紙開き部２に位置し、冊子ＢＫ４１の他の部分が冊子支持部１に位置するように挿入した場合、折り込まれたカバーシートＣＶ６１と、冊子ＢＫ４１の天地は揃っていないので、位置調整部５により、カバーシートＣＶ６１を固定した状態で、冊子ＢＫ４１の天又は地を押してカバーシートＣＶ６１上で滑らせて移動させ、冊子ＢＫ４１の天地と、カバーシートＣＶ６１の天地を揃えてもよい。
勿論、位置整合部５を使用することなく、作業者が、冊子ＢＫ４１の天地と、カバーシートＣＶ６１の天地を揃えてもよい。
【符号の説明】
【００６０】
１００    カバーシート折込装置
１        冊子支持部
２        表紙開き部
３        折込部
４        挿入部
５        位置整合部
６        調整部
７        制御部
２００    製本装置
ＢＫ１１、ＢＫ４１  冊子
ＢＣ１１、ＢＣ４１  表紙
ＪＫ４１  カバー
ＣＶ１１、ＣＶ６１  カバーシート
【図１】
2016117214.tif 000003
【図２】
2016117214.tif 000004
【図３】
2016117214.tif 000005
【図４】
2016117214.tif 000006
【図５】
2016117214.tif 000007
【図６】
2016117214.tif 000008
【図７】
2016117214.tif 000009
【図８】
2016117214.tif 000010
【図９】
2016117214.tif 000011